(57)【特許請求の範囲】
【請求項１】
被加熱物を加熱する加熱室と、前記加熱室壁面に形成され複数の小穴を設けた小穴部を有し、この小穴部を通して前記加熱室外から庫内照明を行う加熱調理機器において、
前記小穴部の外に配置される光源を複数個持ち、かつ、前記小穴部の小穴の大きさやピッチに関わらず、前記加熱室内の所定の範囲の影を無くすように光源を配置すると共に、
前記小穴部に貼るシートは、前記加熱室内奥から手前に向かって透明から不透明に連続的に変化し、かつ光源の配置は、前記シートが透明から不透明に変化する方向に対し、直角に列を成して配置されることを特徴とする加熱調理機器。
【発明の詳細な説明】
【技術分野】
【０００１】
本発明は、ヒータやマイクロ波等によって被加熱物を加熱する加熱調理機器に関し、加熱室を照明する際の照明方法に関する。
【背景技術】
【０００２】
一般に、ヒータやマイクロ波等によって被加熱物を加熱する加熱調理機器、例えば加熱調理機器は、機器の前面に加熱室に被加熱物を出し入れする回転自在の扉と加熱手段等の操作部が設けてある。また、加熱室壁面には、小穴部が設けられ、調理の進行状況が分かり易いように、加熱室内を照明するランプの光を取り入れるための小穴が形成されている。
【０００３】
従来、この種の加熱調理機器は、加熱室の電波を外の漏らさないように、壁面の採光穴は小さく作られているため、光の入射量が少なく、加熱室が暗く感じられることが多くあったが、最近は、ＬＥＤによる発光体から採光穴のピッチに合わせて多点に光源を配置して採光量を増やす工夫が取られてきた（例えば、特許文献１参照）。
【先行技術文献】
【特許文献】
【０００４】
【特許文献１】特開２００３−１３９３３６号公報
【特許文献２】特開平５−２６４５５号公報
【特許文献３】特開平４−２９５５２２号公報
【発明の概要】
【発明が解決しようとする課題】
【０００５】
しかしながら、この種の加熱調理機器は加熱室の電波を外の漏らさないように、壁面の採光穴は小さく作られているため、光の入射量が少なく、加熱室が暗く感じられることが多くあったが、最近は、ＬＥＤによる発光体から採光穴のピッチに合わせて多点に光源を配置して採光量を増やす工夫が取られてきた半面、光源が強すぎるため、機器使用者の目に直接光が入り、眩しく感じられるという課題があった。
【０００６】
本発明は前記従来の課題を解決したもので、使用者から、光源からの光が直接目に届かないよう、小穴部に不透明なシートを貼り付ける。この際、庫内の明るさが落ちるため、採光穴、光源位置、ドアスクリーンが直線状に並ぶエリアに限り、上記不透明シートを貼ることで、庫内に照射する光のうち、被加熱物は明るいままで、機器使用者には眩しさを与えない機器の提供を目的としたものである。
【課題を解決するための手段】
【０００７】
本発明は上記目的を達成するため、被加熱物を加熱する加熱室と、前記加熱室壁面に形成され複数の小穴を設けた小穴部を有し、この小穴部を通して前記加熱室外から庫内照明を行う加熱調理機器において、前記小穴部の外に配置される光源を複数個持ち、かつ、前記小穴部の小穴の大きさやピッチに関わらず、前記加熱室内の所定の範囲の影を無くすように光源を配置すると共に、前記小穴部に貼るシートは、前記加熱室内奥から手前に向かって透明から不透明に連続的に変化し、かつ光源の配置は、前記シートが透明から不透明に変化する方向に対し、直角に列を成して配置され、特定の場所の影を無くして、均一な明るさにし、かつ使用者の眩しさを抑えるエリアを明確にする構成としている。
【０００８】
これによって、使用者の光源への眩しさを低減する、不透明エリアを小さく出来、その結果、加熱室を照らすシートの透明エリアが広がることから、加熱室内の明るさを維持できる。
【発明の効果】
【０００９】
本発明は使用者が機器使用中に加熱室を覗いても、機器の光源からの光を直接見ないよう、不透明シートが貼られている結果、眩しさを抑えられた状態で、被加熱物を見ることが出来る。
【図面の簡単な説明】
【００１０】
【図１】本発明の実施の形態１における加熱調理機器の構成概略図
【図２】本発明の実施の形態１における加熱調理機器の加熱室内の照明概略図
【発明を実施するための形態】
【００１１】
第１の発明は、被加熱物を加熱する加熱室と、前記加熱室壁面に形成され複数の小穴を設けた小穴部を有し、この小穴部を通して前記加熱室外から庫内照明を行う加熱調理機器において、前記小穴部の外に配置される光源を複数個持ち、かつ、前記小穴部の小穴の大きさやピッチに関わらず、前記加熱室内の所定の範囲の影を無くすように光源を配置すると共に、前記小穴部に貼るシートは、前記加熱室内奥から手前に向かって透明から不透明に連続的に変化し、かつ光源の配置は、前記シートが透明から不透明に変化する方向に対し、直角に列を成して配置され、特定の場所の影を無くして、均一な明るさにし、かつ使用者の眩しさを抑えるエリアを明確にする構成としている。
【００１２】
これによって、使用者の光源への眩しさを低減する、不透明エリアを小さく出来、その結果、加熱室２を照らすシート９の透明エリアが広がることから、加熱室２内の明るさを維持できる。
【００１６】
以下、本発明の実施の形態を図面を参照しながら説明する。なお、この実施の形態によって本発明が限定されるものではない。
【００１７】
（実施の形態１）
図１において、１は加熱装置本体で、ヒータあるいは高周波あるいはスチーム等の加熱手段（図示せず）によって、被加熱物を加熱する加熱室２が設けてある。３は扉であり、加熱室２の前面開口に開閉自在に設けられている。扉３の中央上部には、ハンドル４が設けられ、使用者が開閉する際に使用できるようになっている。４は前記加熱手段を収めた電装部で、加熱装置本体１の適所に設けてある。５は加熱装置本体１の扉３上方に設けた操作部で、電装部４で加熱手段等を動作するものである。加熱室２壁面には、加熱室２底
面の被加熱物を照明するための採光部として小穴が複数個形成された小穴部６が設けられており、加熱室２外の機器内部には、光源ユニット７（図示せず）が設けられている。
【００１８】
図２は加熱室２の平面図であり、壁面の採光用小穴部６と光源ユニット７、及びドアスクリーン上の穴８との関係を示し、使用者側（即ち運転状態での加熱室２から扉３を通して外面側）に光が漏れないように、小穴の特定のエリアに不透明なシート９を貼ることで、シート９が貼られない部分は明るく、貼られた部分は眩しくなくすることが出来る。
【００１９】
図２の位置関係の場合、光源からの光は、Ａのエリアでは外に光が直接漏れるが、Ｂのエリアでは、ドアスクリーンの材厚と、光の角度、穴の直径の関係により、光が漏れないため、加熱室２手前側から３列分の採光用小穴部６に不透明なシート９を貼るだけで、光が弱まり、使用者に光源の光が直接入らないし、加熱室２内の大部分は透明シートを通して明るく照らされる。
【００２０】
さらに、小穴部６に貼るシートは、加熱室２奥から手前方向に向かって透明から不透明に連続的に変化するシートとすることで、加熱室２奥の従来暗いエリアは、前記シートの透明度が高い部分を通して明るく照らされ、手前側は前記シートの透明度が低い部分によって光源からの光量は少なくなっても、扉３外からの外光によって補われるため、加熱室２底面の明るさが均一になる効果がある。
【００２１】
また、シートの透明から不透明になる方向（上記においては加熱室２奥から手前方向）に対し、光源ユニット７上の複数光源は、これとは直角に列を成して配置することで、使用者の光源への眩しさを低減する、不透明エリアを小さく出来、その結果、加熱室２を照らすシート９の透明エリアが広がることから、加熱室２内の明るさを維持できる効果がある。
【００２２】
上記構成から明らかなようにこの加熱調理機器では、加熱中に使用者が加熱室を覗いても、眩しさを防ぐシートがあり、使用者の不快感なく操作することができる。
【００２３】
これら実施例において、各機能を組み合わせて相乗的な効果がえられることは言うまでも無い。
【産業上の利用可能性】
【００２４】
本発明の加熱調理機器は、加熱室内を照明しながらも、加熱室外に光源をそのまま照射しないため、使用中ドアを閉め、且つ加熱室等のキャビンを照明するような機器、電子レンジや電気オーブン、リーチインショーケースなどの用途に利用できる。
【符号の説明】
【００２５】
１  加熱装置本体
２  加熱室
３  扉
４  電装部
５  操作部
６  採光用小穴
７  照明用光源ユニット
８  ドアスクリーン穴
９  不透明シート
【図１】
0005521571.tif 000002
【図２】
0005521571.tif 000003